(57)【要約】【課題】着脱可能なカードデバイスへのアクセス機能を有する制御プログラムを搭載した情報機器において、カードデバイスの安全な取り外し手段を提供する。【解決手段】カードデバイス２の取り外しを行う際に押すエジエクトボタン１２に対しセンサ１３を設け、使用者がエジエクトボタン１２を操作してカードデバイス２を取り外そうとする取り外しイベントをセンサ１３により検知して制御プログラムに通知する。制御プログラムは前記取り外しイベントが通知された時、カードデバイス２へのアクセスが完全に停止した時点でカードデバイス２の取り外しを可能にするようにストッパー制御部２０を制御する。【選択図】図２
2005044144.tif 000002
【特許請求の範囲】
【請求項１】
着脱可能なカードデバイスの装着状態で該カードデバイスにアクセスする制御プログラムを実装した情報機器のカードデバイスの取り外し機構において、
カードデバイスの取り外しイベントを検出するセンサと、前記カードデバイスへのアクセス状態において前記センサが取り外しイベントを検出したとき、前記制御プログラムが少なくとも当該アクセス状態を終了するまでカードデバイスの取り外しを不可能とする機構を有することを特徴とするカードデバイスの取り外し機構。
【請求項２】
カードデバイスを取り外すためのエジェクトボタンを備え、前記取り外しイベントの検出は前記エジェクトボタンの操作を検出するセンサにより行うことを特徴とする請求項１記載のカードデバイスの取り外し機構。
【請求項３】
装着したカードデバイス自体を操作することにより該カードデバイスを取り出す機構を備え、前記取り外しイベントの検出は前記カードデバイスの操作を検出するセンサにより行うことを特徴とする請求項１記載のカードデバイスの取り外し機構。
【請求項４】
前記制御プログラムは、アクセス状態においてセンサが取り外しイベントを検出したとき、前記アクセス状態の終了に加えて、マウント処理をも終了するまでカードデバイスの取り外しを不可能とすることを特徴とする請求項１、２又は３記載のカードデバイスの取り外し機構。
【請求項５】
着脱可能なカードデバイスの装着状態で該カードデバイスにアクセスする制御プログラムを実装した情報機器のカードデバイスの取り外し方法において、
カードデバイスの取り外しイベントを検出したとき、前記カードデバイスへのアクセス状態の場合に、前記制御プログラムが当該アクセス状態を終了するまでカードデバイスの取り外しを不可能とすることを特徴とするカードデバイスの取り外し方法。
【請求項６】
前記制御プログラムは、アクセス状態においてセンサが取り外しイベントを検出したとき、前記アクセス状態の終了に加えて、マウント処理をも終了するまでカードデバイスの取り外しを不可能とすることを特徴とする請求項５記載のカードデバイスの取り外し方法。
【発明の詳細な説明】
【技術分野】
【０００１】
本発明は、着脱可能なカードデバイスを備える情報機器に関し、特に、制御プログラムによりアクセスされるカードデバイスの取り外し機構及び方法に関する。
【背景技術】
【０００２】
カードデバイスを着脱可能な情報機器においては、情報機器の制御プログラムが装着状態のカードデバイスに対しアクセス状態にあるか否か明らかでないことが多く、使用者が任意の時点でカードデバイスを取り外すとカードデバイス等のデータ破壊を起こすおそれあり危険な行為とされている。
【０００３】
このため、かかる情報機器では、制御プログラムがカードデバイスにアクセス中であることをＬＥＤ等によりアクセス表示として知らせたり、さらには、カードデバイスのアクセス状態において、電磁マグネットやモータにより取り外し機構の動作を阻止し、取り外すためのボタンの押し込み等ができないように構成する方法が採用されている（特許文献１、２参照）。また、使用者がアプリケーション上で取り外す旨を制御プログラム側に通知した後、当該アクセスが完全に停止し制御プログラム側から取り外しを許可するメッセージが出てから取り外すように構成したものもある。
【０００４】
特開平６−２５９６１１号公報
特開２００２−１１３２６７号公報
【発明の開示】
【発明が解決しようとする課題】
【０００５】
しかしながら従来のようにカードデバイスのアクセス表示やカードデバイスの取り外しボタンの押し込みができないようにする方法では、アクセス表示の点灯タイミングや取り外し動作の阻止タイミングは予測できないので完全に安全なタイミングでカードデバイスの取り外しを行うことは不可能である。また、従来の方法ではアクセスランプの消灯状態や機構の阻止の解除状態にあったとしても、ファイルの管理情報等、全てのデータ書き込みが終了している保証はなく安全な取り外しが可能な方法とは言い難いものである。また、アプリケーション上から取り外し許可を求める方法では手間がかかり非常に煩わしいという問題がある。
【０００６】
本発明の目的は、カードデバイスの取り外しに手間がかからず、安全に行えるカードデバイスの取り外し機構および取り外し方法を提供することにある。
【０００７】
本発明の他の目的は、カードデバイスの取り外し及び装着時の障害の発生を防止できるカードデバイスの取り外し機構および取り外し方法を提供することにある。
【課題を解決するための手段】
【０００８】
カードデバイスをカードスロット装置に挿入しカードデバイス内のデータの読み書きを行うような機能を有する情報機器においては、カードデバイスを取り外すタイミングによってはカードデバイスに制御プログラムがアクセス中に抜かれてしまい、カードデバイス内のファイル等のデータが破壊されてしまうという問題が発生する。
【０００９】
本発明では、カードの取り外しを行う際に操作するエジエクトボタン等にセンサを設けることで、使用者がカードデバイスを取り外そうとしている取り外しイベントを検知し、制御プログラムが少なくともカードデバイスへのアクセスを停止するまで取り外しを行えないように構成することで、安全なカードの取り外しを実現することを特徴とする。つまり、
【００１０】
本発明のカードデバイスの取り外し機構は、着脱可能なカードデバイスの装着状態で該カードデバイスにアクセスする制御プログラムを実装した情報機器のカードデバイスの取り外し機構において、カードデバイスの取り外しイベントを検出するセンサと、前記カードデバイスへのアクセス状態において前記センサが取り外しイベントを検出したとき、前記制御プログラムが少なくとも当該アクセス状態を終了するまでカードデバイスの取り外しを不可能とする機構を有することを特徴とする。また、カードデバイスを取り外すためのエジェクトボタンを備え、前記取り外しイベントの検出は前記エジェクトボタンの操作を検出するセンサにより行うことを特徴とし、又は装着したカードデバイス自体を操作することにより該カードデバイスを取り出す機構を備え、前記取り外しイベントの検出は前記カードデバイスの操作を検出するセンサにより行うことを特徴とする。更に、前記制御プログラムは、アクセス状態においてセンサが取り外しイベントを検出したとき、前記アクセス状態の終了に加えて、マウント処理をも終了するまでカードデバイスの取り外しを不可能とすることを特徴とする。
【００１１】
本発明のカードデバイスの取り外し方法は、着脱可能なカードデバイスの装着状態で該カードデバイスにアクセスする制御プログラムを実装した情報機器のカードデバイスの取り外し方法において、カードデバイスの取り外しイベントを検出したとき、前記カードデバイスへのアクセス状態の場合に、前記制御プログラムが当該アクセス状態を終了するまでカードデバイスの取り外しを不可能とすることを特徴とし、また、前記制御プログラムは、アクセス状態においてセンサが取り外しイベントを検出したとき、前記アクセス状態の終了に加えて、マウント処理をも終了するまでカードデバイスの取り外しを不可能とすることを特徴とする。
【発明の効果】
【００１２】
本発明においては、ＥＪＥＣＴボタンやカードデバイスの押圧等のカードデバイスの取り外し操作を一回行うという簡易な操作によりカードデバイスへの制御プログラムのアクセス中にカードデバイスの取り外しを不可能とするとともに、当該アクセスを正常に停止させ、制御プログラム側から当該アクセスの終了時にカードデバイスの取り外しを可能とすることから、カードデバイスの取り外しタイミングによるファイル等のデータ破壊等を確実に防止することができ、安全にカードデバイスの取り外しを行うことが可能である。
【００１３】
また、カードデバイスへのアクセスの正常な停止に加えてカードデバイスのアンマウント処理まで行うように構成することにより、カードデバイスの再装着による制御プログラムのアクセス時の動作も正常に開始することを可能とするカードデバイスの取り外しを実現することができる。
【００１４】
【発明を実施するための最良の形態】
【００１５】
図１は、本発明の実施の形態を示す概念図である。情報機器としての端末装置への適用例を示しており端末装置１とカードデバイス２から構成される。  
端末装置１は着脱可能なカードデバイス２を挿入するカードスロット部１１と、カードスロット部１１の近傍に配置され、カードデバイス２を取り外すための取り外しレバー（レバー）１４等を有するエジェクトボタン（ＥＪＥＣＴボタン）１２と、ＥＪＥＣＴボタン１２が押し込まれたことを検知するセンサ１３とを備える。
【００１６】
また、該端末装置１には図示しない制御プログラムが実装されており、該制御プログラムは主要な端末機能を制御する。更に、カードスロット部１１に装着されたカードデバイス２にアクセスし、処理情報等の書き込み、読み出し等を行い当該カードデバイス２に関連する機能を制御するとともに、該カードデバイス２の安全な取り外しのための制御機能を有する。
【００１７】
本実施の形態では、カードデバイス２の取り外しはＥＪＥＣＴボタン１２の２回の押し込み操作により実現される。ＥＪＥＣＴボタン１２の１回目の押し込み操作は、制御プログラムに対し装着状態のカードデバイス２をカードスロット部１１から取り外すことを示す操作（「取り外しイベント」という。）であり、ＥＪＥＣＴボタン１２の２回目の押し込み操作はレバー１４の働きによりカードデバイス２を実際に取り外す操作である。
【００１８】
図２は本実施の形態の構成を示す図である。制御プログラムによりＥＪＥＣＴボタン１２のストップ位置を制御するストッパー制御部２０を備えており、前記ストッパー制御部２０は、ＥＪＥＣＴボタン１２のストップ位置として、カードデバイス２の装着状態である第１のストップ位置Ａ、カードデバイス２の取り外しイベント時の押し込み位置である第２のストップ位置Ｂ、及びカードデバイス２の取り外し操作が可能な第３のストップ位置Ｃを制御し、第３のストップ位置ＣからのＥＪＥＣＴボタン１２の押し込みに対しレバー１４によりカードデバイス２をカードスロット部１１の開口側に押し出すように制御する。このためのストッパー制御部２０は必要な駆動機構等をも有する。本実施の形態の各部の機能は以下のとおりである。
【００１９】
カードデバイス２はカードスロット部１１に挿入されると第１のストップ位置Ａに停止しカードデバイス２の実装状態となる。この状態ではＥＪＥＣＴボタン１２の押し込みによりカードデバイス２の取り外しは不可能であるが、センサ１３はカードデバイス２の押し込みによる前記第２のストップ位置Ｂで使用者によるカードデバイス２の取り外しイベントを検出し、イベント信号を制御プログラムに出力して取り外しイベントを通知する。
【００２０】
ストッパー制御部２０は、ＥＪＥＣＴボタン１２の押し込みに対し、その開口側に押し戻す方向の付勢を与えるとともに、第１のストップ位置Ａ（装着状態）では第３のストップ位置Ｃ側への移動をロックする。また、第１のストップ位置Ａ（装着状態）から前記付勢に抗するＥＪＥＣＴボタン１２の押し込みに対し同様に開口側への付勢を与えるとともに、第２のストップ位置Ｂで停止させ、ＥＪＥＣＴボタン１２の押し込みを止めると第１のストップ位置Ａに引き戻す。また、ストッパー制御部２０は第２のストップ位置Ｂでセンサ１３から制御プログラムがイベント信号の受信時にカードデバイス２にアクセス中でないとき、又はアクセス中でアクセス終了時に、ストッパー解除命令を受信するとＥＪＥＣＴボタン１２を第３のストップ位置Ｃまで引き戻す。
【００２１】
更にストッパー制御部２０は、ＥＪＥＣＴボタン１２が第３のストップ位置Ｃに移動した後のＥＪＥＣＴボタン１２の押し込みに対し、ＥＪＥＣＴボタン１２のレバー１４によりカードデバイス２をその開口側に送り出すように制御する。
【００２２】
（動作の説明）
図３は、本実施の形態の動作のフローチャートを示す図である。カードの装着状態からの動作について以下説明する。
【００２３】
カードデバイス２の装着状態においてはＥＪＥＣＴボタン１２は第１のストップ位置Ａに位置している。ここでＥＪＥＣＴボタン１２が操作されセンサ１３が第２ストップ位置Ｂまでの押し込まれると、センサ１３がＥＪＥＣＴボタン１２の端部の接近により使用者によるカードデバイス２の取り外しイベントとして検出し（Ｓ１）、イベント信号を制御プログラムに通知する（Ｓ２）。制御プログラムは、センサ１３からのイベント信号の受信時にカードデバイス２にアクセス中である場合（Ｓ３）、当該アクセスでの処理の内、残りの最小限の処理等を行う終了処理を実行し（Ｓ４）、前記終了処理が完了した後（Ｓ５）、ストッパー制御部２０にストッパー解除命令を出力し、ストッパー制御部２０はＥＪＥＣＴボタン１２を第３のストップ位置Ｃまで後退させる（Ｓ６）。使用者はＥＪＥＣＴボタン１２が突出したことにより安全な取り外しが可能であることを知ることができ、ＥＪＥＣＴボタン１２が再度押し込まれると（Ｓ７）、ストッパー制御部２０の制御によりレバー１４によりカードデバイス２をカードスロット１１の開口側に押し出す（Ｓ８）。
【００２４】
また、ステップＳ３において、制御プログラムがカードデバイス２にアクセス中でない場合、制御プログラムはその後のアクセス動作を停止するとともに、ＥＪＥＣＴボタン１２を第３のストップ位置Ｃまで後退させ（Ｓ６）、使用者によるＥＪＥＣＴボタン１２の再度の押し込み（Ｓ７）に対し同様にカードデバイス２をカードスロット１１の開口側に押し出す（Ｓ８）。
【００２５】
図４は、本発明の他の実施の形態としてカードデバイスの取り外し機構の一構成例を示す図である。カードデバイス２の取り外し機構の主要な構成は、基板１０に取り付けられたＥＪＥＣＴボタン１２の装置内部側の操作竿１２−１、レバー１４、支点装置１７、ストッパー１５、１９、ストッパー解除装置１６及びセンサ１３等から構成される。
【００２６】
操作竿１２−１は、端末装置１の内部方向に延在し長手方向に移動可能に取り付けられ、操作竿１２−１の端部にはカードデバイス２を取り出すためのレバー１４がピン１２−２によりその回りに回動可能に軸支されている。また、該操作竿１２−１には基板１０との間に操作竿１２−１をＥＪＥＣＴボタン１２側に付勢するスプリング１８−１が設けられ、更に、第２のストップ位置Ｂを規定するために、切り欠き部１２−３が形成され、該切り欠き部１２−３に対応して、前記スプリング１８−１による操作竿１２−１のＥＪＥＣＴボタン１２の開口側への移動を第２のストップ位置Ｂに停止させる略Ｌ状のストッパー１５が設けられ、該ストッパー１５は中間部を基板１０にピンにより回動可能に軸支され、一端側に前記切り欠き部１２−３に係合する爪部１５−１が形成され、他端側に前記爪部１５−１が切り欠き部１２−３に係合する方向に付勢するスプリング１８−２と、該スプリング１８−２の付勢に抗して前記爪部１５−１の切り欠き部１２−３への係合を解除する駆動軸を備えるストッパー解除装置１６とが設けられている。また、第１及び第３のストップ位置Ａ、Ｃを規定するために固定ストッパー１９が設けられている。
【００２７】
また、ＥＪＥＣＴボタン１２の押し込みによりカードデバイス２を取り出す際に、レバー１４が操作竿１２−１の押し込み方向と反対方向にカードデバイス２を押し出すように、レバー１４に対し支点を形成する上下動の制御が可能な支点ピン１７−１を備える支点装置１７が基板１０（裏面側等）に設けられている。
【００２８】
センサ１３は操作竿１２−１の端部側の第１のストップ位置Ａから所定間隔で設けられ、ＥＪＥＣＴボタン１２の押し込み時に第２のストップ位置Ｂで操作竿１２−１の端部の接近を検出してイベント信号を出力する。
【００２９】
以上のカードデバイスの取り外し機構の機能は以下のとおりである。端末装置１にカードデバイス２が装着され、制御プログラムにより各種の処理を実行中に、支点装置１７の支点ピンは図の点線で示すように下方に引き込まれた位置にある。この状態では、操作竿１２−１はＥＪＥＣＴボタン１２の押し込みによりスプリング１８−１に抗してセンサ１３方向に移動することが可動であるが、カードデバイス２の取り外しは不可能である。次に、操作竿１２−１が充分押し込まれ、その端部がセンサ１３に接近すると、センサ１３はイベント信号を出力し、制御プログラムによりカードデバイス２に対する書き込み、読み出し等の処理中でなければイベント信号の終了時に支点装置１７から図の実線で示すように支点ピンを上方に繰り出す制御を行い、また、制御プログラムによる書き込み、読み出し等の処理中であれば当該処理を終了した時点で、ストッパー解除装置１６がストッパーの爪部を操作竿１２−１の切り欠き部から外し、その後支点装置１７から支点ピン１７−１を上方に繰り出すように制御する。この結果、引き続く２回目のＥＪＥＣＴボタン１２の押し込みに対してレバー１４は支点が形成され、カードデバイス２をカードスロット部１１の外部に押し出すことが可能となる。
【００３０】
図５（Ａ）〜（Ｆ）は、本実施の形態のカードデバイスの取り外し動作を示す図である。以下順を追ってその動作を説明する。  
図５（Ａ）に示すようにカードスロット部１１にカードデバイス２が挿入された状態では、ストッパー１５の爪部がスプリング１８−１により付勢された操作竿１２−１の切り欠き部１２−３に係合し、その端部は前記ストップ位置Ａに停止しホールドされており、支点ピン１７−１は引き込まれた状態（図示しない）にある。このときＥＪＥＣＴボタン１２は端末装置１の筺体から所定量だけ突出している。
【００３１】
図５（Ａ）の状態で、ＥＪＥＣＴボタン１２が押し込まれると、図５（Ｂ）に示すように操作竿１２−１の端部がセンサ１３に接近し、センサ１３はイベント信号を出力し使用者によるカードデバイス２の引き出しの意思があることを制御プログラムに通知する。
【００３２】
使用者が一旦ＥＪＥＣＴボタン１２の押し込みを元に戻すと、図５（Ｃ）に示すように、再びスプリング１８−１及びストッパー１５により操作竿１２−１は最初のストップ位置Ａにホールドされる。この間、制御プログラムはカードデバイス２に対するアクセス中か否かに応じて次のように異なる動作を行う。
【００３３】
１、制御プログラムがカードデバイス２にアクセス中でなければ、図５（Ｃ）の状態でストッパー解除装置１６によりストッパー１５の爪部１５−１を操作竿１２−１の切り欠き部１２−３から外し、次に支点装置１７の支点ピン１７−１を繰り出すように制御する。
【００３４】
２、制御プログラムがカードデバイスにアクセス中であれば、アクセス中の処理のうち最小限の残された処理を完結させ、その後、カードデバイス２の次回のアクセスを可能とするアンマウント（mount）処理を行う。正常にアンマウント処理が実行できた時点で、制御プログラムは図５（Ｃ）の状態からストッパー解除装置１６にストッパー解除命令を出し、ストッパー１５の爪部１５−１を操作竿１２−１の切り欠き部１２−３から外し、次に支点装置１７の支点ピン１７−１を繰り出すように制御する。
【００３５】
以上の何れかの動作により、図５（Ｄ）に示すようにストッパー１５が外れることにより、操作竿１２−１は端末装置１の筺体の外側に移動し、ＥＪＥＣＴボタン１２は前記所定量以上の突出し、使用者はカードデバイス２の安全な取り外しが可能であることが分かる。
【００３６】
そこで、使用者は再度ＥＪＥＣＴボタン１２を押し込むことにより、図５（Ｅ）に示すようにレバー１４は支点ピン１７−１を支点としてカードデバイス２の内側端部をカードスロット部の開口側に押圧し、カードデバイス２の取り外しが可能となる。
【００３７】
使用者よる２回目のＥＪＥＣＴボタン１２の押し込み操作が終了すると、図５（Ｆ）に示すようにスプリング１８−１とストッパー１５の働きにより操作竿１２−１は元のストップ位置Ａに戻ってホールドされ、制御プログラムは支点ピン１７−１を下げて、カードデバイス２の挿入の待機状態となる。
【００３８】
本発明の更に他の実施の形態として、ＥＪＥＣＴボタンの無いカードスロット部を有する端末装置等においても同様に適用することが可能である。ＥＪＥＣＴボタンの無いカード取り外し機構で、カード自体を一段押し込むことによりストッパーが解除されスプリングによりカードが押し出されるという機構が用いられている場合、一段押し込んだ位置にストッパーとセンサを設けることで本発明と同様に安全なカードデバイスの取り外しを可能とする実施の形態が構成できる。
【００３９】
図６は、本実施の形態の構成を示す図である。本実施の形態ではカードデバイス２の取り外し操作はＥＪＥＣＴボタンに代えてカードデバイス２自体の押し込み操作により行うものである。図２に示す実施の形態と同様に端末装置１にはカードデバイス２が挿入されるカードスロット部１１を備えるとともに制御プログラムが実装されており、制御プログラムはカードデバイス２にアクセスし、端末装置１の各種の動作を制御する。カードデバイス２の挿入状態での第１のストップ位置Ａ、カードデバイス２を取り外しイベントの発生位置であるカードデバイスの押圧時の第２のストップ位置Ｂ、カードデバイス２の取り出しが可能である第３のストップ位置Ｃを規定する駆動機構等を含み、制御プログラムにより制御されるストッパー制御部３０及びカードデバイス２の押し込み状態によりカードデバイス２の取り外しイベントを検出するセンサ１３とを備える。本実施の形態の各部の機能は以下のとおりである。
【００４０】
カードデバイス２は、カードスロット部１１に挿入されると第１のストップ位置Ａに停止しカードデバイス２の実装状態となる。また、センサ１３はカードデバイス２の更なる押し込みによる第２のストップ位置Ｂで使用者によるカードデバイス２の取り外しイベントを検出し制御プログラムに通知する。ストッパー制御部３０は、カードデバイス２の差し込みに対し、カードスロット部１１の開口側に押し戻す方向の付勢を与えるととも第１のストップ位置Ａでは装着状態としてカードデバイス２のロック機能を与える。また、装着状態からのカードデバイス２の押し込みに対し同様に開口側へ付勢を与えるとともに、第２のストップ位置Ｂにおいてセンサ１３が制御プログラムに取り外しイベントを通知する。制御プログラムはセンサ１３からのイベント信号の受信時に、カードデバイス２にアクセス中でないとき、又はアクセス中でアクセス終了時に、ストッパー解除命令を出力する。ストッパー制御部３０はストッパー解除命令を受信すると、第３のストップ位置Ｃまで前記付勢により引き戻す。
【００４１】
図７は、本実施の形態の動作のフローチャートを示す図である。カードデバイス２の装着状態からの動作について以下説明する。カードデバイス２の装着状態でセンサ１３がカードデバイス２の第２ストップ位置までの押し込まれると、センサ１３は使用者によるカードの取り外しイベントとして検出し（Ｓ１１）、センサ１３はイベント信号を制御プログラムに通知する（Ｓ１２）。制御プログラムは、センサ１３からのイベントの通知時にカードデバイス２に対するアクセス中である場合（Ｓ１３）、当該処理の内、残りの最小限の終了処理等を行い（Ｓ１４）、当該処理が終了した時点で（Ｓ１５）、ストッパー制御部３０にストッパー制御部３０にストッパー解除命令を出力し、カードデバイス２を第３のストップ位置Ｃまでカードデバイス２を後退させる（Ｓ１６）。使用者はカードスロット部１１からカードデバイス２を引き出しカードデバイス２の取り外しを完了する（Ｓ１７）。
【００４２】
以上の実施の形態では、ＥＪＥＣＴボタンやカードデバイス自体の操作によりカードデバイスを取り外す例を説明したが、具体的なカードデバイスの取り外し構造は、前記実施の形態の構造のものに限られるものではなく、制御プログラム等の制御に基づく電磁的な駆動機構等の組合せにより適宜実現することができることは云うまでもない。
【図面の簡単な説明】
【００４３】
【図１】本発明の実施の形態を示す概念図である。
【図２】本発明の一実施の形態を示す図である。
【図３】本実施の形態の動作のフローチャートを示す図である。
【図４】本発明の他の実施の形態としてカードデバイスの取り外し機構の一構成例を示す図である。
【図５】本実施の形態のカードデバイスの取り外し動作を示す図である。
【図６】本発明の更に他の実施の形態を示す図である。
【図７】本実施の形態の動作のフローチャートを示す図である。
【符号の説明】
【００４４】
１  端末装置
２  カードデバイス
１１  カードスロット部
１２  ＥＪＥＣＴボタン
１３  センサ
１４  取り外しレバー
１５  ストッパー装置
１６  ストッパー解除装置
１７  支点装置
１８  スプリング
１９  固定ストッパー
２０  ストッパー制御部
【図１】
2005044144.tif 000003
【図２】
2005044144.tif 000004
【図３】
2005044144.tif 000005
【図４】
2005044144.tif 000006
【図５】
2005044144.tif 000007
【図６】
2005044144.tif 000008
【図７】
2005044144.tif 000009